(57)【要約】      （修正有）【課題】筆記用具を使用せずに容器を一意に識別するために使用可能な容器識別装置を提供する。【解決手段】上面４６および底面４８を有する保護上層４４と、当該保護上層４４の底面４８に固定される印付け層２４，１８とを備える容器識別装置１０であって、保護上層４４の上に対応する刻印が行なわれると、印付け層２４，１８の上に印が形成される容器識別装置１０を提示する。この容器識別装置１０はさらに、印付け層２４，１８に固定される接着剤層３４を備える。【選択図】図２
2009078863.tif 000002
【特許請求の範囲】
【請求項１】
容器識別装置であって、
（ａ）  上面および底面を有する保護上層と、
（ｂ）  前記保護上層の前記底面に固定される印付け層とを備え、前記保護上層の上に対応する刻印が行なわれると、前記印付け層の上に印が形成され、前記容器識別装置はさらに、
（ｃ）  前記印付け層に固定される接着剤層を備える、容器識別装置。
【請求項２】
前記印付け層は、上面および底面を含み、前記印付け層は、前記印付け層の前記上面が前記保護上層の前記底面に係合するように前記保護上層に固定され、前記対応する刻印が前記保護上層の上に行なわれると、前記印付け層の前記上面の上に前記印が形成される、請求項１に記載の容器識別装置。
【請求項３】
前記印付け層はノーカーボン紙層である、請求項１に記載の容器識別装置。
【請求項４】
前記保護上層は、前記接着剤層と実質的に同じサイズおよび形状である、請求項１に記載の容器識別装置。
【請求項５】
前記保護上層は、前記識別装置が容器に固定されたときに、前記保護上層が前記保護上層の下の前記印付け層を封止するように、前記印付け層よりもサイズが大きい、請求項４に記載の容器識別装置。
【請求項６】
前記保護上層は耐水性である、請求項１に記載の容器識別装置。
【請求項７】
前記容器識別装置は、ボトルのキャップに適合するようにサイズが決定されて構成される、請求項１に記載の容器識別装置。
【請求項８】
前記接着剤層に取外し可能な態様で固定される剥離可能な裏貼りをさらに備える、請求項１に記載の容器識別装置。
【請求項９】
前記剥離可能な裏貼りは、第１および第２の部分に分離され、前記第１の部分と前記第２の部分との間の継ぎ目を規定する、請求項８に記載の容器識別装置。
【請求項１０】
前記容器識別装置は、接着剤から前記剥離可能な裏貼りの前記第１および第２の部分を少なくとも部分的に取り去るために、前記継ぎ目の付近で折り曲げ可能である、請求項９に記載の容器識別装置。
【請求項１１】
容器識別装置であって、
（ａ）  上面および底面を有する耐水性の上層と、
（ｂ）  前記耐水性の上層の前記底面に固定されるノーカーボン紙層とを備え、前記耐水性の上層の上に対応する刻印が行なわれると、前記ノーカーボン紙層の上に印が形成され、前記容器識別装置はさらに、
（ｃ）  前記ノーカーボン紙層に固定される接着剤層を備える、容器識別装置。
【請求項１２】
前記ノーカーボン紙層は、上面および底面を含み、前記ノーカーボン紙層は、前記ノーカーボン紙層の前記上面が前記耐水性の上層の前記底面に係合するように前記耐水性の上層に固定され、前記対応する刻印が前記耐水性の上層の上に行なわれると、前記ノーカーボン紙層の前記上面の上に前記印が形成される、請求項１に記載の容器識別装置。
【請求項１３】
前記耐水性の上層は、前記接着剤層と実質的に同じサイズおよび形状である、請求項１１に記載の容器識別装置。
【請求項１４】
前記耐水性の上層は、前記識別装置が容器に固定されたときに、前記耐水性の上層が前記耐水性の上層の下の前記ノーカーボン紙層を封止するように、前記ノーカーボン紙層よりもサイズが大きい、請求項１３に記載の容器識別装置。
【請求項１５】
前記容器識別装置は、ボトルのキャップに適合するようにサイズが決定されて構成される、請求項１１に記載の容器識別装置。
【請求項１６】
前記接着剤層に取外し可能な態様で固定される剥離可能な裏貼りをさらに備える、請求項１１に記載の容器識別装置。
【請求項１７】
前記剥離可能な裏貼りは、第１および第２の部分に分離され、前記第１の部分と前記第２の部分との間の継ぎ目を規定する、請求項１６に記載の容器識別装置。
【請求項１８】
前記容器識別装置は、接着剤から前記剥離可能な裏貼りの前記第１および第２の部分を少なくとも部分的に取り去るために、前記継ぎ目の付近で折り曲げ可能である、請求項１７に記載の容器識別装置。
【発明の詳細な説明】
【技術分野】
【０００１】
関連出願との相互参照
この出願は、その開示が引用によりここに明確に援用され、その出願日の優先権が米国特許法第１２０条に基づきここに主張される、２００７年７月２７日に出願された米国特許出願１１／８２９，７１７の一部継続出願である。
【背景技術】
【０００２】
背景
ボトル入りの水が往々にして無駄になってしまうのは、水を全部飲まずにボトルを下に置いた後に、どのボトルが自分のものであるか分からなくなってしまうためである。このことは、炭酸飲料のボトル、缶入り飲料、またはその他の種類の容器にも当てはまる。地球温暖化に対する意識が高まり、「環境志向（go green）」が強化されるのに伴い、材料をできるだけ再使用および再利用することが望ましい。少しでも迷わないようにして無駄をなくすために、ボトルに印付けをして、当該容器と他のよく似た容器とを区別することができる。マーカまたはペン等の筆記用具を用いてボトルに印付けを行なうことができるが、ペンまたはマーカを利用できないことが多々ある。同様に、タグ、ステッカー、カバー等を用いてボトルの所有者を識別することもできるが、当該タグ、ステッカー、またはカバーには、識別を行なうためにペン、マーカ等で印付けを行なわなければならないことが多い。
【発明の開示】
【発明が解決しようとする課題】
【０００３】
したがって、消費者の手元に届いたときに容器に固定されるか、または、容器に容易に取付け可能な容器識別装置であって、この容器識別装置を用いて、筆記用具を使用せずに容器を一意に識別することが可能な、容器識別装置を獲得することが望まれる。
【課題を解決するための手段】
【０００４】
概要
この開示は、上面および底面を有する保護上層と、当該保護上層の下に固定される印付け層とを備える容器識別装置であって、当該保護上層の上に対応する刻印が行なわれると、印付け層の上に印が形成される、容器識別装置を提供する。この容器識別装置はさらに、印付け層の下に固定される接着剤層を備える。
【０００５】
詳細な説明の中で以下にさらに説明する、簡略化された形態での一連の概念を導入するために、この概要を提示した。この概要は、主張される主題の重要な特徴を特定することを意図せず、主張された主題の範囲を決定する助けとして使用されることも意図していない。
【０００６】
主張される主題の上記の局面と、多くの付随する利点とは、添付の図面と共に以下の詳細な説明を参照すると、より容易に認識されるであろう。
【発明を実施するための最良の形態】
【０００７】
詳細な説明
同じ番号が同じ要素に対応する図１から図５を参照して、容器識別装置１０を以下に説明する。図１を参照すると、本体Ｂおよびキャップまたは上部Ｔを有する容器Ｃ、たとえば水の入った使い捨てのボトルと共に使用される容器識別装置１０が示される。この容器識別装置１０を任意の適切な容器または他の保管装置の上で使用し、その容器の所有者、
その容器の中身等を一意に識別できることを認識されたい。したがって、本明細書における以下の説明および例証は、本質的に例示と考えられるべきであり、それ故に、本開示の範囲を限定しないと考えられるべきである。
【０００８】
図１は、容器Ｃに固定されて当該容器Ｃを識別するための容器識別装置１０の１つの例示的な実施例を示す。容器識別装置１０は、容器Ｃの上部Ｔに固定されていることが示されるが、その代わりに、容器Ｃの他の部分、たとえば本体Ｂに固定してもよい。容器識別装置１０を用いて、カスタマイズされた一意の印付けＭを容器Ｃの上に行なって、この容器Ｃと他の類似した容器とを区別する。
【０００９】
図２および図３を参照すると、容器識別装置１０は、共に固定され、かつ、容器識別装置１０を協働して規定する複数の層からなる。好ましくは、各層は実質的に円形であり、容器Ｃの上部Ｔに適合するようにサイズが決定されるが、他の形状およびサイズも認められる。
【００１０】
容器識別装置１０は、上面２０および底面２２を有する第１の層１８と、上面２６および底面２８を有する第２の層２４とを含む。第１の層１８は、第２の層２４の下に位置付けられ、第２の層２４に係合する。第１の層１８および第２の層２４は、協働して、２シートからなるノーカーボン転写システムを形成する。このノーカーボン転写システムは、ノーカーボン紙技術を用いて、第１の層の上面２０の上に印付けを行なう。たとえば、当該技術で周知であるように、第２の層２４の底面２８をマイクロカプセル化染料またはインクでコーティングすることができ、第１の層１８の上面２０を反応性粘土でコーティングすることができる。剛性の用具を用いて第２の層２４の上面２６の上に刻印を行なうと、剛性の用具からの圧力により、粘土が染料と反応して、第１の層１８の上面２０の上に永続的な印を生じる。
【００１１】
代替的に、第１の層１８は、単に普通紙のシートであってよく、第２の層２４の底面２８は、染料および反応性粘土の両方でコーティングされてよい。さらに別の実施例として、第１の層の上面２０が染料および反応性粘土の両方を含んでよく、第２の層２４が普通紙のシートであってよい。いずれかの代替例を用い、第２の層２４の上面２６の上に刻印が行なわれ、剛性の用具からの圧力により、粘土が染料と反応する。第１の層１８の上面２０が第２の層２４の底面２８に係合した状態で、第１の層１８の上面２０の上に永続的な印が形成される。この開示の精神および範囲から逸脱することなく、他のあらゆる適切な転写技術を用いてよいことを認識されたい。
【００１２】
第２の層２４は、当該第２の層２４の底面２８に適用される第１の中間接着剤層３０を介して第１の層１８に一時的に固定可能である。接着剤は、任意の適切な低粘着性かつ感圧性の仮接着剤、たとえばゴム、アクリル樹脂等を含有する接着剤であってよい。第１の中間接着剤層３０は、艶出し（calendering）、コーティング等の任意の適切な態様で、第２の層２４の底面２８に適用され得る。
【００１３】
第１の中間接着剤層３０は、当該接着剤層３０が第２の層２４と第１の層１８との間のノーカーボン転写を妨げることのないように、第２の層２４の底面２８の全体を被覆しない。図２に示すように、第２の層の底面２８の外周部の周りのみに第１の中間接着剤層３０が適用され、第２の層２４の底面２８が第１の層１８の上面に係合可能であるように、中央に開口を残す。さらに、第１の中間接着剤層３０には、第２の層２４の外周部の一部に沿って間隙３１が形成され得、それにより、第２の層２４の縁端部が第１の層１８に接着する態様で固定されないようにする。この実施例において、第２の層２４は、間隙３１のほぼ上に配設されるタブ部３２を含み、それにより、ユーザが、タブ３２を容易に引っ張って第１の層１８から第２の層２４を剥離できるようにする。
【００１４】
図２を参照すると、第１の層１８は、その底面２２に適用されて、使用する準備が整ったときに容器識別装置１０を容器Ｃに固定するための接着剤ベース層３４を含む（図３を参照）。この接着剤ベース層３４は、好ましくは、２つの材料を共に永続的に固定する、感圧性かつ低粘着性の従来の永久接着剤、たとえば、エポキシ、ポリウレタン、ネオプレン、ニトリル、およびシリコーンである。接着剤ベース層３４は、好ましくは、第１の層１８の底面２２の全体の上に形成されるが、代わりに、底面２２の一部の上のみに形成されてよい。接着剤ベース層３４は、たとえ容器Ｃが濡れていても（たとえば、当該容器が氷の入った冷却器内に保管されている場合も）、第１の層１８がこの容器Ｃに永続的に付着しているように、適切な剪断強度および耐湿性を有し得る。代替的に、接着剤ベース層３４は、十分な量の接着剤からのみなり得、それにより、適切な剪断強度をもたらして、第１の層１８が容器Ｃから容易に取れてしまうことを防止するようにする。接着剤ベース層３４は、艶出し、コーティング等の任意の適切な態様で、第１の層１８の底面２２に適用され得る。
【００１５】
上面３８を有する剥離可能な保護裏貼り３６を接着剤ベース層３４に一時的に固定して、適用前に接着剤ベース層３４を埃または湿気から守ることができる。剥離可能な裏貼り３６は、上に永久接着剤ベース層３４を有する第１の層１８が裏貼り３６の上面３８から外れ得るようにする剥離剤コーティング（release coating）、たとえばシリコンまたはろうを、その上面３８の上に含む。
【００１６】
剥離可能な裏貼り３６は、好ましくは、容器識別装置１０のそれ以外の層よりもわずかに大きく、それにより、容器識別装置１０を使用する準備が整ったときに、剥離可能な裏貼り３６を、それ以外の層から容易に剥離できるようにする。剥離可能な裏貼り３６は、容器識別装置１０が、容器Ｃとは別に、消費者に個々に配送され得るようにサイズが決定され得る。代替的に、剥離可能な裏貼り３６は、その代わりに、複数の容器識別装置１０をその上に一時的に保持するシートまたは細片であり得る。この態様で、たとえば、容器の製造業者に対し、多数の容器識別装置１０を発送することができ、それにより、容器Ｃを消費者または小売業者に出荷する前に、容器識別装置１０を容器Ｃに固定できるようにする。
【００１７】
容器識別装置１０は、任意に、上面４６および底面４８を有する取外し可能な保護上層４４を含む。保護上層４４は、好ましくは、防水性または耐水性の材料、たとえばプラスチックで形成される。保護上層４４は、第２の層２４に係合するように適合されるが、それと同時に、保護上層４４の縁端部が剥離可能な裏貼り３６（図２を参照）または容器Ｃの上部Ｔ（図３を参照）とさらに係合するように十分な大きさを有する。識別装置１０が上部Ｔに固定された状態で、第１の層１８および第２の層２４、ならびに接着剤層３０および３４は、保護層４４の下に封止され、水による損傷または他の損傷から守られる。
【００１８】
保護上層４４は、当該保護上層４４の底面４８に固定される第２の中間接着剤層５０を介して、第２の層２４および剥離可能な裏貼り３６（または上部Ｔ）に対し、取外せる態様で固定される。接着剤は、任意の適切な、低粘着性かつ感圧性の仮接着剤であってよく、任意の適切な態様で保護上層４４の底面４８に塗布され得る。
【００１９】
第２の中間接着剤層５０は、好ましくは、保護上層の底面４８の外周部の周りに適用されて、保護上層４４の底面４８が第２の層２４の上面に係合し得るように、中央に開口部を残す。このような状態で、剛性の用具で保護上層４４の上面の上に刻印が行なわれ得、それにより、第２の層２４の上面２６の上に刻印が形成されて、第１の層１８の上面２０の上に永続的な印が生じる。代替的に、第１の層の上面２０が（上で論じたように）染料および反応性粘土の両方を含む場合、第２の層２４を省いてよく、その代わりに、保護層
４４が第１の層１８に直接付着し得る。保護上層４４および第２の層２４は、好ましくは、それ以外の層から同時に剥離可能である。代替的に、保護上層４４は、図４に示すように第２の層２４から最初に剥離することができ、それにより、第２の層２４の上面２６上に刻印が直接行なえるようにする。
【００２０】
使用時に、容器識別装置１０は、まず、消費者により、または、小売業者もしくは消費者への容器Ｃの出荷前に容器の製造業者のところで、容器Ｃに固定される。容器識別装置１０を容器Ｃに固定するために、剥離可能な裏貼り３６を第１の層１８から剥離して、第１の層１８の底面２２の上にある接着剤ベース層３４を出現させる。次に、接着剤ベース層３４を介して、容器Ｃの任意の適切な場所、たとえば上部Ｔの上に、容器識別装置１０を固定する（図３を参照）。
【００２１】
容器Ｃに容器識別装置１０を固定した後に、それ以外の層から保護上層４４を剥離し、図４に示すように、第２の層２４を出現させる。図５を参照すると、第２の層２４を露出させ、それにより、消費者は、自分の指の爪Ｎ等の剛性の装置でその上に刻印を行なうことができる。第２の層２４の上に適切な刻印が行なわれて、容器Ｃの所有者、中身等の区別および／または識別を行なう。
【００２２】
次に図６を参照すると、上に刻印を行なった後に第２の層２４を取外して、第１の層１８の上面２０の上に印付けＭを出現させる。したがって、筆記用具を用いることなく、一意の印付けＭが容器Ｃに施行される。それにより、容器Ｃは、実質的にあらゆる状況において、外見のよく似た他の容器から判別可能となる。
【００２３】
図７から図９を参照すると、容器識別装置１１０の代替的な実施例が示される。容器識別装置１１０は、上記の容器識別装置１０と構造および操作の点で類似するが、以下に記載する差異を有する。
【００２４】
図７および図８を参照すると、容器識別装置１１０は、共に固定され、かつ、容器識別装置１１０を協働して規定する複数の層からなる。好ましくは、各層は実質的に円形であり、図７に示すボトルＢ等の容器Ｃの上部Ｔに適合するようにサイズが決定されるが、他の形状およびサイズも認められる。さらに、この容器識別装置はボトルＢの上部Ｔの上に固定されていることが示されるが、その代わりに、任意の適切な容器か、または、識別もしくは標識付けを必要とする他の装置と共に使用してもよいことを理解されたい。
【００２５】
容器識別装置１１０は、上面１２６および底面１２８を有する印付け層、またはノーカーボン紙層１１８を含む。ノーカーボン紙層１１８は、当該技術で周知の方法で形成される、１シートからなるノーカーボンシステムであり、上面１２６が、ノーカーボン紙の印付け側を規定する。たとえば、上面１２６は、マイクロカプセル化染料またはインクと反応性粘土との両方でコーティングされ得、それにより、剛性の用具で上面１２６の上に刻印が行なわれると、当該剛性の用具からの圧力により、粘土が染料と反応して、上面１２６の上に永続的な印が生じるようにする。代わりに、他の任意の適切なノーカーボン紙技術または他の印付け技術を用いてよいことを認識されたい。
【００２６】
ノーカーボン紙層１１８は、保護上層１４４と両面接着剤層１３４との間に挟まれる。保護上層１４４は、好ましくは、防水性または耐水性の材料、たとえばプラスチックで形成される。保護上層１４４は、当該保護上層１４４の下にノーカーボン紙層１１８が位置付けられたときに当該ノーカーボン紙層１１８を視認できるように、少なくともやや透明である。さらに、保護上層１４４は、ノーカーボン紙層１１８を保護するのに十分な厚さを有するが、それと同時に、当該保護層１４４を介してノーカーボン紙層１１８の上にユーザが刻印を行なえるだけ十分に薄くかつ柔軟でもある。この態様で、ユーザは、保護上
層１４４を取外さずに、ノーカーボン紙層１１８の上に印付けを行なうことができる。しかしながら、代わりに、ユーザがノーカーボン紙層１１８上に直接印が付けられるように、保護上層１１４を容器識別装置１１０から取外せること、または、省略できることも認識されたい。
【００２７】
保護上層１４４は、ノーカーボン紙層１１８の上面１２６に係合し、かつ当該上面１２６を被覆するようにサイズが決定され、形作られる。好ましくは、保護上層１４４は、ノーカーボン紙層１１８の外周から半径方向に外側に延在して円周方向の縁端部１３０を規定するように、十分な大きさを有する（図９を参照）。ノーカーボン紙層１１８は、好ましくは、保護上層１４４の下で同心に位置付けられ、それにより、実質的に一定の半径方向厚さを有する円周方向の縁端部１３０を規定する。円周方向の縁端部１３０は、容器識別装置１１０が容器Ｃに固定されたときに封止縁端を設け、保護上層１４４の下でノーカーボン紙層１１８を封止する。
【００２８】
両面接着剤層１３４は、好ましくは、保護上層１４４と実質的に同じサイズおよび形状である。両面接着剤層１３４は、ノーカーボン紙層１１８の底面１２８と、円周方向の縁端部１３０に沿って保護上層１４４の底面１４８とに適用される。このようにして、両面接着剤層１３４は、ノーカーボン紙層１１８を保護上層１４４に固定する。しかしながら、代わりに、ノーカーボン紙層１１８を他の任意の適切な態様で、たとえば新たに接着剤を用いて、保護上層１４４に固定してよいことを認識されたい。両面接着剤層１３４は、艶出し、コーティング等の任意の適切な態様で、ノーカーボン紙層１１８の底面１２８と、保護上層１４４の底面１４８とに適用され得る。さらに、その代わりに、両面接着剤層１３４は、ノーカーボン紙層１１８と保護上層１４４との両方に固定される両面接着剤テープまたは紙のシートであってよい。
【００２９】
ノーカーボン紙層１１８および保護上層１４４は、接着剤層１３４を介して、容器Ｃまたは任意の適切な媒体に固定可能である。したがって、接着剤層１３４は、好ましくは、２つの材料を共に永続的に固定する、感圧性かつ低粘着性の従来の永久接着剤、たとえば、エポキシ、ポリウレタン、ネオプレン、ニトリル、およびシリコーン等である。接着剤層１３４は、たとえ容器Ｃが濡れていても（たとえば、容器Ｃが氷の入った冷却器内に保管されている場合も）、ノーカーボン紙層１１８および保護上層１４４が容器Ｃに永続的に付着しているように、適切な剪断強度および耐湿性を有し得る。さらに、接着剤層１３４は、妥当な時間（たとえば４時間）にわたって容器を液体に浸したときもノーカーボン紙層１１８が濡れないように、十分な耐湿性を有する。代替的に、接着剤層１３４は、十分な量の接着剤からのみなり得、それにより、接着剤が適切な剪断強度をもたらして、ノーカーボン紙層１１８および上層１４４が容器Ｃから容易に取れることを防止するようにする。識別装置１１０が上部Ｔに固定された状態で、ノーカーボン紙層１１８は、保護上層１４４の下に封止され、水による損傷または他の損傷から守られる。
【００３０】
図８および図９を参照すると、容器識別装置１１０は、任意の剥離可能な保護裏貼り１３６を含む。この剥離可能な保護裏貼り１３６は、接着剤層１３４に一時的に固定されて、適用前に接着剤層１３４を埃または湿気から守る。この剥離可能な裏貼り１３６は、当該剥離可能な裏貼り１３６が永久接着剤層１３４から取外し可能であるように、剥離剤コーティング、たとえば、シリコンまたはろうを、その上面１４２の上に含む。
【００３１】
剥離可能な裏貼り１３６は、好ましくは、接着剤層１３４および保護上層１４４と同じサイズおよび形状である。この態様で、容器識別装置１１０は、容器Ｃとは別個に、消費者に個々に配送され得る。剥離可能な裏貼り１３６は、第１の部分１３８および第２の部分１４０に切断されるか、または分離されて、その間に境界線または継ぎ目１５０を規定する。容器識別装置１１０を継ぎ目１５０の付近で折り曲げて、継ぎ目１５０の近くで接
着剤層１３４から剥離可能な裏貼り１３６を少なくとも部分的に取り去り、接着剤層１３４からの第１の部分１３８および第２の部分１４０の容易な取外しを可能にする。
【００３２】
代わりに、剥離可能な裏貼り１３６を容器識別装置１１０のそれ以外の層よりもわずかに大きくし、半径方向に延在する縁端部（図示せず）を規定してよいことを認識されたい。剥離可能な裏貼り１３６は、容器識別装置１１０を使用する準備が整ったときに、この縁端部において、それ以外の層から剥離することができる。この場合、継ぎ目１５０の必要がなくなる。代替的に、剥離可能な裏貼り１３６は、複数の容器識別装置１１０をその上に一時的に保持するシートまたは細片であり得る。この態様で、たとえば、容器の製造業者に多数の容器識別装置１１０を発送することができ、それにより、消費者または小売業者に容器を出荷する前に、容器識別装置１１０が容器Ｃに固定され得るようにする。
【００３３】
使用時に、容器識別装置１１０はまず、消費者により、または、小売業者もしくは消費者への容器の出荷前に容器の製造業者のところで、容器Ｃに固定される。容器識別装置１１０を容器Ｃに固定するために、剥離可能な裏貼り１３６をそれ以外の層から剥離し、ノーカーボン紙層１１８および保護上層１４４の底面１２８および１４８の上にある接着剤層１３４を出現させる（剥離可能な裏貼り１３６が使用される場合）。次に、容器Ｃの任意の適切な位置、たとえば上部Ｔの上に、接着剤層１３４を介して容器識別装置１１０を固定する（図７を参照）。
【００３４】
容器識別装置１１０を容器Ｃに固定した後に、剛性の用具、たとえば指の爪で保護上層１４４上にしかるべき刻印を行ない、容器Ｃの所有者、中身等の区別および／または識別を行なう。このようにして、筆記用具を用いずに、容器Ｃに一意の印付けＭが施行される。したがって、容器Ｃは、実質的にあらゆる状況において、外見のよく似た他の容器から判別可能となる。
【００３５】
例示的な実施例を示して説明してきたが、この開示の精神および範囲から逸脱することなく、これらの実施例においてさまざまな変更を行なってよいことを認識されたい。
【００３６】
排他的な所有権または権利が主張されるこの開示の実施例は、クレームにおいて規定される。
【図面の簡単な説明】
【００３７】
【図１】この開示の局面に従って構成される容器識別装置の好適な一実施例の周辺図であって、容器識別装置が容器に固定されていることを示す図である。
【図２】図１の容器識別装置の分解組立図である。
【図３】図２の容器識別装置の部分断面図であり、容器識別装置を組立てた状態で示す図である。
【図４】図１の容器識別装置の等角図であり、容器識別装置の一部が部分的に取外された図である。
【図５】図１の容器識別装置の等角図であり、ユーザが指の爪で容器識別装置の上に印付けを行なっている図である。
【図６】図１の容器識別装置の等角図であり、容器識別装置の一部が部分的に取外されて、容器識別装置上の印付けを出現させた図である。
【図７】この開示の局面に従って構成される容器識別装置の第１の代替的な実施例の周辺図であり、容器識別装置が容器に固定されていることを示す図である。
【図８】図７の容器識別装置の分解組立図である。
【図９】図７の容器識別装置の等角図（上下を反転させたもの）であり、容器識別装置の一部が部分的に取外されている図である。
【符号の説明】
【００３８】
１０  容器識別装置、１８  第１の層、２０  上面、２２  底面、２４  第２の層、２６  上面、２８  底面、３０  第１の中間接着剤層、３１  間隙、３２  タブ部、３４  接着剤ベース層、３６  剥離可能な裏貼り、３８  上面、４４  保護上層、４６  上面、４８  底面、５０  第２の中間接着剤層。
【図１】
2009078863.tif 000003
【図２】
2009078863.tif 000004
【図３】
2009078863.tif 000005
【図４】
2009078863.tif 000006
【図５】
2009078863.tif 000007
【図６】
2009078863.tif 000008
【図７】
2009078863.tif 000009
【図８】
2009078863.tif 000010
【図９】
2009078863.tif 000011
【外国語明細書】
2009078863000001.pdf